(57)【要約】【課題】袋状シートを２枚重ねに畳んでロール巻きした原反の端面に不揃いがあっても、カッタによって２枚重ねのシートの端部を切り屑を発生せずにまっすぐに裁断できるようにする。裁断したシートの難溶着性処理が施された処理面を拡幅用シートに重ね溶着しても、溶着箇所に十分に大きな接合強度を与えられるようにする。【解決手段】袋状シート６０のシート片部６１，６２同士の連設部６３を横切ってそれらのシート片部６１，６２同士の重なり箇所に挿入配備されるカッタ２１と、カッタ２１の手前側で連設部６３に摺動可能に係止される係止体２４と、係止体２４を付勢して袋状シート６０を緊張させる係止体付勢手段３５とを備える。裁断したシートの端部を拡幅用シートの端部に重ね、その重なり箇所にテープ材７０を跨がせてそれら３者を溶着処理する。【選択図】　　　　図１
2004074365.tif 000002
【特許請求の範囲】
【請求項１】
２枚重ね状態で繰り出されて一定経路を移動する袋状シートの互いに重なり合ったシート片部同士の連設部を裁断するカッタを備える袋状シート裁断装置において、
上記シート片部同士の連設部を横切ってそれらのシート片部同士の重なり箇所に挿入配備される上記カッタと、このカッタの手前側で上記シート片部同士の重なり箇所に挿入されてそれらのシート片部同士の連設部に摺動可能に係止される係止体と、上記係止体を付勢することによってその係止体で上記連設部を袋状シートの幅方向外方へ押圧させる係止体付勢手段とを備えることを特徴とする袋状シート裁断装置。
【請求項２】
上記カッタがカッタホルダに取り付けられていて、このカッタホルダの一部分によって上記係止体が形成されている請求項１に記載した袋状シート裁断装置。
【請求項３】
上記カッタが円形刃を備える円形カッタであり、上記カッタホルダが上記円形カッタを収容したケースによって形成されていると共に、そのケースに、上記円形カッタの円形刃の一部を露出させかつ上記シート片部同士の連設部が導入される凹入口と、その凹入口の口縁の一部を形作りかつ上記シート片部同士の重なり箇所に挿入されて上記係止体を形成する突出部とが備わっている請求項２に記載した袋状シート裁断装置。
【請求項４】
上記係止体付勢手段が、上記ケースに連結されたばね体を備える請求項３に記載した袋状シート裁断装置。
【請求項５】
上記係止体付勢手段が、上記ケースに連結されたばね体と、このばね体によって付勢された上記ケースの移動方向を袋状シートの幅方向に一致させるガイド機構とを備えている請求項３に記載した袋状シート裁断装置。
【請求項６】
請求項１ないし請求項５のいずれか１項に記載した袋状シート裁断装置を使用する袋状シートと拡幅用シートとの溶着方法であって、
外表面が難溶着性処理の施された処理面になっている袋状シートを２枚重ね状態で繰り出して一定経路を移動させながら、上記袋状シート裁断装置を使用して上記袋状シートの互いに重なり合ったシート片部同士の連設部を裁断する裁断工程と、
上記連設部が裁断して分離されたシート片部のうちの片側のシート片部の端部の上記処理面を拡幅用シートの端部に重ね合わせ、かつ、それらのシート片部と拡幅用シートとの重なり箇所を跨いでそのシート片部の内表面と拡幅用シートの表面とに溶着性のテープ材を重ね合わせる準備工程と、
上記溶着準備工程を経ることにより形成されたシート片部と拡幅用シートとの重なり箇所、及び、上記テープ材とシート片部の内表面及び拡幅用シートの表面との重なり箇所を加熱することによって、少なくとも上記テープ材をシート片部と拡幅用シートとに溶着させる溶着工程と、
を含むことを特徴とする袋状シートと拡幅用シートとの溶着方法。
【請求項７】
上記準備工程又は溶着工程で、シート片部と拡幅用シートとの重なり箇所を脱気して密着させる請求項６に記載した袋状シートと拡幅用シートとの溶着方法。
【発明の詳細な説明】
【０００１】
【発明の属する技術分野】
本発明は、袋状シート裁断装置並びに袋状シートと拡幅用シートとの溶着方法に関する。
【０００２】
【従来の技術】
幅寸法が数メートル（たとえば４ｍ程度）という幅広の合成樹脂製のシート（シートには「フィルム」を含む。以下同じ。）は様々な用途に用いられており、その表面に防滴・流滴処理や防塵処理といった種々の用途に応じた薬剤などによる処理の施されることが多い。また、熱可塑性合成樹脂シートの場合、その幅寸法が不足しているときには、同質の他のシートを重ね溶着して継ぎ足すということが行われている。また、幅広のシートは、インフレーション法によって筒状に成形した熱可塑性合成樹脂シートを軸線方向に裁断して展開するという方法で得ることができ、そうして得られたシートの幅寸法がその用途との関係で不足している場合にも、展開したシートに他のシート（拡幅用シート）を重ね溶着で継ぎ足すことによって幅寸法を拡げるということが行われている。
【０００３】
ところで、インフレーション法によって成形した熱可塑性樹脂でなる筒状のシートは、２枚重ねに畳んでロール巻きしたシートロールの形で出荷される場合があり、その場合に２枚重ねのシート（原反）の表面に上記した防滴・流滴処理などの処理が行われていると、裁断して展開したシートの表面である処理面を熱可塑性樹脂でなる拡幅用シートに重ね溶着して幅寸法を拡げるということができず、仮にそれができたとしても、溶着箇所に大きな接合強度を持たせることが困難である。これに対し、裁断して展開したシートの非処理面である裏面に拡幅用シートを重ね溶着して幅寸法を拡げることは可能であるけれども、表面処理されたシートや拡幅用シートの表面又は裏面に着色や図柄模様などが施されている場合などにあっては、互いに接合する２枚のシートの相互間で模様合わせなどを行う必要が生じたりすることによって、シートの裏面（非処理面）に拡幅用シートを重ね溶着することができないこともあり得る。
【０００４】
一方、表面が薬剤処理された袋状シートを２枚重ねに畳んでロール巻きしたシートロールを裁断して展開可能な所謂１枚ものにする裁断工程と、裁断後のシートに拡幅用シートを重ね溶着して幅寸法を拡げる溶着工程とを、別々の場所に設置してある袋状シート裁断装置と溶着装置とを使って個別に切り離して行うことは、それらの装置間でのシートの運搬やそれに要する人手などに照らして得策でない。
【０００５】
さらに、袋状シートを２枚重ねに畳んでロール巻きした原反としてのシートロールは、そのロール形原反の端面に不揃いを生じているのが普通であり、そのような原反から繰り出した２枚重ねのシートの端縁は移動中に左右に振れるため、そのような振れを生じているシートの端縁を定位置に設置したカッタでまっすぐに裁断することは容易でなく、多くの場合にはカッタでの裁断跡が波打ち状になる。ところが、そのように裁断跡が波打ち状になっていると、拡幅用シートを重ね溶着できたとしても、溶着箇所で裁断跡の波打ち形状が目立って見苦しくなるだけでなく、溶着信頼性を高めることも困難である。この点を解消するには、２枚重ねのシートの端縁を裁断した後、波打ち形状の端縁を含む耳縁部をまっすぐに切除するという裁断を行うことが有効であるけれども、そのようにすると、切除された耳縁部が切り屑となって歩留りが低下するだけでなく、もともとの袋状シートによって定まる展開後の幅寸法が得られなくなり、そのことが、拡幅用シートを重ね溶着して幅寸法を拡げた場合に当初予定した設定幅寸法が得られなくなるという事態を招く原因にもなり得る。
【０００６】
【発明が解決しようとする課題】
本発明は、以上の状況に鑑みてなされたものであり、上記した薬剤処理のような難溶着性処理が表面に施された袋状シートの表面を拡幅用シートに重ね溶着して溶着箇所に十分に大きな接合強度を持たせることを可能にする溶着方法を提案することと併せて、そのような溶着方法を行う装置に容易に組み合わせて用いることのてきる袋状シート裁断装置を提供することを目的とする。
【０００７】
また、本発明は、袋状シートを２枚重ねに畳んでロール巻きした原反の端面に不揃いがあっても、定位置に設置したカッタによって２枚重ねのシートの端部がまっすぐに裁断され、しかも、裁断による切り屑を生じることがなくなって設計幅寸法通りのシートを得ることのできる袋状シート裁断装置を提供することを目的とする。
【０００８】
また、本発明は、上記袋状シート裁断装置を用いて裁断することによって１枚ものとされた袋状シートの難溶着性処理（薬剤処理など）が施された処理面を拡幅用シートに重ね溶着しても、溶着箇所に十分に大きな接合強度を与えることのできる袋状シートと拡幅用シートとの溶着方法を提案することを目的とする。
【０００９】
【課題を解決するための手段】
本発明に係る袋状シート裁断装置は、２枚重ね状態で繰り出されて一定経路を移動する袋状シートの互いに重なり合ったシート片部同士の連設部を裁断するカッタを備える袋状シート裁断装置において、上記シート片部同士の連設部を横切ってそれらのシート片部同士の重なり箇所に挿入配備される上記カッタと、このカッタの手前側で上記シート片部同士の重なり箇所に挿入されてそれらのシート片部同士の連設部に摺動可能に係止される係止体と、上記係止体を付勢することによってその係止体で上記連設部を袋状シートの幅方向外方へ押圧させる係止体付勢手段とを備えている。
【００１０】
この発明によると、係止体付与手段がシート片部同士の連設部を袋状シートの幅方向外方へ押圧することによって、カッタによるシートの裁断箇所に相当する上記連設部が常に緊張状態に保たれる。そのため、２枚重ね状態で繰り出されて一定経路を移動する袋状シートの上記連設部を裁断するカッタが、常に緊張した連設部を裁断することになってカッタによる裁断跡がまっすぐになる。
【００１１】
本発明では、上記カッタがカッタホルダに取り付けられていて、このカッタホルダの一部分によって上記係止体が形成されていることが望ましい。これによれば、係止体による上記連設部の押圧箇所をカッタの位置に近付けやすくなるため、カッタで裁断される上記連設部を常に確実に緊張させておくことが容易であり、そのことがまっすぐな裁断跡を形成して裁断信頼性を高めることに役立つ。
【００１２】
本発明では、上記カッタが円形刃を備える円形カッタであり、上記カッタホルダが上記円形カッタを収容したケースによって形成されていると共に、そのケースに、上記円形カッタの円形刃の一部を露出させかつ上記シート片部同士の連設部が導入される凹入口と、その凹入口の口縁の一部を形作りかつ上記シート片部同士の重なり箇所に挿入されて上記係止体を形成する突出部とが備わっていることが望ましい。この発明のようにカッタに円形カッタを用いると、円形カッタを回転させるだけで裁断に用いる円形刃の位置を迅速にかつ容易に変更することができるため、所謂刃の切れ味が悪くなった場合に、直ちに円形カッタを回転させて円形刃の他の箇所を裁断に供することが可能になるという利便がある。また、円形刃の一部を露出させているカッタホルダーの凹入口の口縁の一部を形作っている突出部によって上記係止体を形成させてあるので、カッタによる上記連設部の裁断箇所そのものに係止体による緊張作用が働くようになり、そのことが上記した裁断信頼性をいっそう向上させることに役立つ。
【００１３】
本発明では、上記係止体付勢手段が、上記ケースに連結されたばね体を備えるという構成を採用することが可能で、これによれば、係止体付勢手段を安価に形成できる利点がある。
【００１４】
本発明では、上記係止体付勢手段が、上記ケースに連結されたばね体と、このばね体によって付勢された上記ケースの移動方向を袋状シートの幅方向に一致させるガイド機構とを備えていることが望ましく、これによれば、上記連設部がカッタによって裁断されていく方向と、その連設部を緊張させるために係止体によってその連設部に加えられる力の方向とが直交するので、上記した裁断信頼性をいっそう向上させることに役立つ。また、高価で複雑な制御を必要とするエッジコントローラを用いる必要がなくなる。
【００１５】
次に、本発明に係る袋状シートと拡幅用シートとの溶着方法は、上記した各発明に係る袋状シート裁断装置のいずれか１つを使用する袋状シートと拡幅用シートとの溶着方法であって、外表面が難溶着性処理の施された処理面になっている袋状シートを２枚重ね状態で繰り出して一定経路を移動させながら、上記袋状シート裁断装置を使用して上記袋状シートの互いに重なり合ったシート片部同士の連設部を裁断する裁断工程と、上記連設部が裁断して分離されたシート片部のうちの片側のシート片部の端部の上記処理面を拡幅用シートの端部に重ね合わせ、かつ、それらのシート片部と拡幅用シートとの重なり箇所を跨いでそのシート片部の内表面と拡幅用シートの表面とに溶着性のテープ材を重ね合わせる準備工程と、上記溶着準備工程を経ることにより形成されたシート片部と拡幅用シートとの重なり箇所、及び、上記テープ材とシート片部の内表面及び拡幅用シートの表面との重なり箇所を加熱することによって、少なくとも上記テープ材をシート片部と拡幅用シートとに溶着させる溶着工程と、を含んでいる。この方法においては、上記準備工程又は溶着工程で、シート片部と拡幅用シートとの重なり箇所を脱気して密着させることが望ましい。
【００１６】
これらの各発明方法の作用については、以下の実施形態についての説明によって明らかにする。
【００１７】
【発明の実施の形態】
図１は本発明に係る袋状シートと拡幅用シートとの溶着方法を行うのに適した裁断溶着装置の概略全体構成図、図２（Ａ）はシートロールである原反の外観を示した概略説明図、同（Ｂ）は袋状シートの説明図、図３は裁断装置の構成及び作用を説明するための側面図、図４は図３のＩＶ−ＩＶ線に沿う部分の断面図、図５は溶着時のシートと拡幅用シートとの重なり状態を示した斜視図、図６は溶着方法説明図、図７は溶着箇所の部分破断平面図である。
【００１８】
図１において、１０は原反繰出し機構で、この原反繰出し機構１に載架されたロール巻き状のシートロールでなる原反５０から２枚重ね状態に折り畳んだ状態の袋状シート６０が繰り出される。原反５０から繰り出された２枚重ね状態の袋状シート６０は、所要数の送りローラやガイドローラでなる送り機構１２によって一定経路を連続して移動する。送り機構１２には張力調整機構１３が付設されていて、この張力調整機構１３の作用によって、一定経路を移動中の袋状シート６０の張力が一定に制御される。図２（Ａ）（Ｂ）のように、原反５０から繰り出される袋状シート６０は、互いに重なりあった２枚のシート片部６１，６２がそれらの両端部で連設されている。図中には、左右の連設部に符号６３，６４を付してある。図１のように、原反繰出し機構１から張力調整機構１３に至る袋状シート６０の移動経路のうち、その上昇路中に裁断装置２０が設置され、裁断装置３０よりも移動経路前方側の下降路中にエアブロー装置４０が設置されている。さらに、移動経路中の水平路に溶着装置４３が設置され、その溶着装置４３の移動経路前方にガイドローラ１４が配備されている。
【００１９】
裁断装置２０は上昇路中を移動する２枚重ねの袋状シート６０の左側の連設部６３又は右側の連設部６４を裁断するという裁断工程を行うために必要であり、この実施形態では、裁断装置２０を、左側の連設部６３を裁断することに用いている。図３又は図４のように、裁断装置２０は、円形刃２２を備える円形カッタ２１と、この円形カッタ２１の中心部を回転自在に支持しているカッタホルダ２３と、係止体２４と、係止体付勢手段３５とを備えている。さらに具体的に説明すると、カッタホルダ２３は、円形カッタ２１を収容した薄形偏平なケース２５によって形成されていて、そのケース２５は、円形カッタ２１の円形刃２２の周方向の一部を露出させる凹入口２６を備えていると共に、その凹入口２６の口縁の一部を形作っている突出部２８を備え、この突出部２８が上記係止体２４を形成している。また、突出部２８によって形成されている係止体２４は、上記凹入口２６の口縁の一部に相当している端面が袋状シート６０の連設部６３に対する摺動面２７として形成されていると共に、円形カッタ２１の円形刃２２が摺動面２７に対して９０度よりも小さい開き角度を保って臨んでいる。
【００２０】
係止体付勢手段３５は、ケース２５に連結された引張りコイルばねでなるばね体３６と、このばね体３６によって付勢されたケース２５の移動方向を袋状シート６０の幅方向に一致させるガイド機構３７とを備え、ガイド機構３７が、位置固定された水平なガイドシャフト３８と、ケース２５に固定されてガイドシャフト３８によって案内される摺動体３９とにより形成されている。
【００２１】
この裁断装置２０において、円形カッタ２１を備えるカッタホルダ２３の突出部２８でなる係止体２４は、原反５０から繰り出されて移動経路に配備された２枚重ねの袋状シート６０の左側の連設部６３に形成した切り目又は切り跡（又は裁断跡）を通して２枚のシート片部６１，６２同士の重なり箇所に挿入して図３のように配備される。また、円形カッタ２１は、上記連設部６３の切り目又は切り跡にされて、未裁断の連設部６３の端点を横切る形態に配備される。この場合、ばね体３６の付勢方向は矢印Ａのように袋状シート６０から離れる方向に定められている。そのため、係止体２４の摺動面２７を、未裁断の連設部６３に内側から摺動可能に係止させると、ばね体３６の付勢によって、係止体２４が連設部６３の摺動面２７との接触箇所を袋状シート６０の幅方向外方（矢印Ａ方向に一致する）へ押圧するので、その押圧箇所で袋状シート６０が緊張状態に保たれる。そして、その押圧箇所は、円形カッタ２１による連設部６３の裁断箇所そのものに相当している。
【００２２】
したがって、図１に示した原反５０の端面に不揃いが生じていて、その原反５０から繰り出されて連続移動する２枚重ねの袋状シート６０の端部である連設部６３が左右に振れるような状況が生じたとしても、ばね体３６により一定の力で弾性的に袋状シート６０の幅方向に引張られているカッタホルダ２３が、連設部６３の振れに追従してその突出部２８である係止体２４を伴って移動し、円形カッタ２１による連結部６３の裁断箇所が常に一定の緊張状態に保たれる。そのため、袋状シート６０が移動して円形カッタ２１が連設部６３を裁断した場合に形成される裁断跡の形状がまっすぐになる。また、円形カッタ２１による連設部６３の裁断がその連設部６３を切り開く状態で行われるために切り屑が生じることはなく、また、裁断した後の１枚ものとしてのシートの２枚のシート片部６１，６２を合わせた幅寸法は、袋状シート６０の全周長さと同等に維持される。以下、袋状シート６０の左側の連設部６３を裁断した後のシートを「裁断シート」といい、図中ではその裁断シートに符号６０Ａを付すことにする。
【００２３】
上記裁断装置では、カッタホルダ２３に円形カッタ２１が回転自在に取り付けられているので、袋状シート６０の移動中に円形刃２２の切れ味が鈍ったようなときには、袋状シート６０の移動を連続させたまま、円形カッタ２１を回転させて裁断に用いる円形刃２２の位置を迅速にかつ容易に変更してその切れ味を持続させることが可能であるという利点がある。
【００２４】
図１で判るように、裁断シート６０Ａは、連設部６３の裁断後にエアーブロー装置４０によって２枚のシート片部６１，６２の間に対するエアーブローが行われ、このエアーブロー処理によって２枚のシート片部６１，６２の間にエアーが保持されてそれらのシート片部６１，６２の密着状態が解消される。エアーブロー装置４０は、先端のエアー吹出し口をスリット状に形成した給気管と、その給気管に接続した給気源（コンプレッサなど）でなる。
【００２５】
図１で判るように、裁断シート６０Ａは、エアーブロー装置４０によるエアーブロー後に水平路を通して溶着装置４３に送り込まれる。溶着装置４３には、２枚の熱可塑性の合成樹脂シート又はフィルムを連続導入し、それらの重なり箇所を加熱して連続溶着させ得るものを使用可能であり、この実施形態では、その重なり箇所を上下の熱板４４，４５で挟んで加熱して重ね溶着するという溶着工程を連続して行うことのできる所謂熱板溶着装置が採用されている。また、この溶着装置４３では、さらに、上記溶着工程に加えて、２枚のシートの溶着箇所を上下の冷却板４６，４７で挟んで冷却する工程も連続して行うことができる。さらに、この溶着装置４３では、２枚のシートの上記重なり箇所の上側に溶着性のテープ材７０を給送して重ね合わせるという準備工程を行う機能が備わっている。
【００２６】
次に、溶着装置４３を用いて、裁断シート６０Ａの２枚のシート片部６１，６２を合わせた幅寸法が不足しているときに、同質の他のシート（拡幅シート）を重ね溶着して継ぎ足すことにより、裁断シート６０Ａよりも広い幅寸法のシートを製作する場合を説明する。
【００２７】
冒頭で説明したように、袋状シート６０の表面に防滴・流滴処理といった難溶着性を持たせるような処理（難溶着性処理）が行われていると、裁断シート６０Ａの表面である処理面を拡幅用シートに重ね溶着することはできず、仮にそれができたとしても、溶着箇所に大きな接合強度を持たせることが困難である。しかし、次に説明する溶着方法を採用することによって、裁断シート６０Ａの表面である処理面を拡幅用シートに重ね溶着することが可能になり、しかも、その溶着箇所に十分に大きな接合強度を付与することができるようになり、その結果、表面に難溶着処理が施されている上記したような裁断シート６０Ａや拡幅用シートの表面に着色や図柄模様などが施されていても、その着色や図柄模様の所謂模様合わせなどを問題なく行うことができるようになった。
【００２８】
図１の溶着装置４３には、袋状シート裁断装置２０による裁断工程を経た裁断シート６０Ａが送り込まれる。この裁断シート６０Ａの表面は上記の難溶着性処理の施された処理面である。また、裁断シート６０Ａと共に拡幅用シート（図１で不図示）も溶着装置４３に送り込まれる。そして、溶着装置４３内部の送り経路では、図５のように、裁断シート６０Ａの下側のシート片部６２の端部の処理面６２ａ（図６参照）が、拡幅用シート８１の端部に重なり合った状態で移動する。また、溶着装置４３内部の送り経路の始部には、溶着性のテープ材７０が給送され、そのテープ材７０が、図６に説明的に示したように、シート片部６２と拡幅用シート８１との重なり箇所Ｗを跨いでそのシート片部６２の内表面（非処理面）と拡幅用シート８１の表面とに重ね合わされる。これが準備工程であり、この準備工程を経ることにより形成されたシート片部６２と拡幅用シート８１との重なり箇所Ｗ、及び、テープ材７０とシート片部６２の内表面及び拡幅用シート８１の表面との重なり箇所が、溶着装置４３内部の送り経路を移動中に熱板４４，４５により挾まれて上下方向から加熱されることによって溶着工程が行われる。この溶着工程を得ることにより、少なくともテープ材７０がシート片部６２と拡幅用シート８１とに問題なく溶着する。また、シート片部６２の処理面６２ａと拡幅用シート８１とは、加熱条件にもよるが、完全な溶着状態を得ることは困難であるけれども、部分的に溶着した状態になることもある。この点に関し、上記の準備工程又は溶着工程では、シート片部６２と拡幅用シート８１との重なり箇所Ｗを上下のローラで挾圧することによって脱気することが可能であり、そのようにすると、シート片部６２の処理面６２ａと拡幅用シート８１とが密着して見掛け状では互いに接合された状態になる。こうして溶着工程を経た後、図７に示した溶着箇所イが溶着装置４３の冷却板４６，４７の間を通過することにより冷却され、その後、拡幅用シート８１によって拡幅された裁断シート６０Ａが溶着装置４３から排出される。
【００２９】
調査の結果、原反幅が５ｍ以下であり、裁断シート６０Ａのシート片部６１，６２の厚さが０．１〜０．１５ｍｍであり、シート片部６２と拡幅用シート８１との重なり箇所Ｗの幅寸法が５ｍｍ又は約５ｍｍであり、テープ材７０の幅寸法が４０ｍｍ又は約４０ｍｍである場合において、テープ材７０の幅方向中央部を上記重なり箇所Ｗに重ね合わせ、かつ、テープ材７０の幅方向両側をシート片部６２と拡幅用シート８１とに同一幅ずつ重ね合わせて溶着工程を行うと、得られたシートの溶着箇所が十分に大きな接合強度を発揮することを確認することができた。また、シート片部６２と拡幅用シート８１とを重ならない状態に突き合わせてそれらのシート片部６２と拡幅用シート８１とに跨がってテープ材７０を溶着したものを比較例とし、その比較例の溶着箇所の接合強度と、本発明の溶着方法によって得られるシート（発明該当品）の溶着箇所の接合強度とを、引張強度テストによって比較したところ、発明該当品の引張強度が比較例のそれよりも格段に大きく、しかも、両者の引張強度の差が、シート片部６２と拡幅用シート８１との重なり部Ｗだけによって発揮される接合強度よりも大きくなっていることが判明した。
【００３０】
【発明の効果】
以上のように、本発明に係る袋状シート裁断装置によれば、原反の端面の不揃いなどに起因して、２枚重ねの袋状シートが移動経路での移動中に左右に振れるという事態が起こっても、定位置に設置したカッタによって２枚重ねの袋状シートの端部がまっすぐに裁断されるようになり、しかも、裁断による切り屑を生じることがなくなって設計幅寸法通りのシートを得ることができるようになる。
【００３１】
また、本発明に係る袋状シートと拡幅用シートとの溶着方法によれば、上記袋状シート裁断装置を用いて裁断することよって１枚ものとされた袋状シートの難溶着性処理が施された処理面を拡幅用シートに重ね溶着しても、溶着箇所に十分に大きな接合強度を与えることができるようになる。
【図面の簡単な説明】
【図１】本発明に係る溶着方法を行うのに適した裁断溶着装置の概略全体構成図である。
【図２】（Ａ）は原反の外観を示した概略説明図、（Ｂ）は袋状シートの説明図である。
【図３】裁断装置の構成及び作用を説明するための側面図である。
【図４】図３のＩＶ−ＩＶ線に沿う部分の断面図である。
【図５】溶着時のシートと拡幅用シートとの重なり状態を示した斜視図である。
【図６】溶着方法説明図である。
【図７】溶着箇所の部分破断平面図である。
【符号の説明】
２０　裁断装置
２１　円形カッタ
２２　円形刃
２３　カッタホルダ
２４　係止体
２５　ケース
２６　凹入口
２８　突出部
３５　係止体付勢手段
３６　ばね体
３７　ガイド機構
５０　原反
６０　袋状シート
６１，６２　シート片部
６３，６４　連設部
６２ａ　処理面
７０　テープ材
Ｗ　重なり箇所
【図１】
2004074365.tif 000003
【図２】
2004074365.tif 000004
【図３】
2004074365.tif 000005
【図４】
2004074365.tif 000006
【図５】
2004074365.tif 000007
【図６】
2004074365.tif 000008
【図７】
2004074365.tif 000009